【手続補正書】
【提出日】平成20年4月2日(2008.4.2)
【手続補正１】
【補正対象書類名】特許請求の範囲
【補正対象項目名】全文
【補正方法】変更
【補正の内容】
【特許請求の範囲】
【請求項１】
第１温度レベルで大気と熱交換する第１大気熱交換器（１）と、
第２温度レベルで大気と熱交換する第２大気熱交換器（２）と、
高圧の作動媒体を受け取る第１高圧タンク（１１）と、
高圧の作動媒体を受け取る第２高圧タンク（１２）と、
一方の高圧タンク（１１、１２）からの作動媒体の膨張から機械的な作動を得る作動機械（３１）と、
工程を制御する制御装置（４２）と、からなるヒート・エンジンであって、
前記第１高圧タンク（１１）が、前記大気熱交換器（１、２）から間隔を空けて設けられると共に、前記第１大気熱交換器（１）に接続可能な第１熱交換器（２１）を備え、
前記第２高圧タンク（１２）が、前記大気熱交換器（１、２）から間隔を空けて設けられると共に、前記第２大気熱交換器（２）に接続可能な第２熱交換器（２１）を備え、
前記作動機械（３１）に機械的に連結された圧縮器（３２）が設けられていることを特徴とするヒート・エンジン。
【請求項２】
前記作動機械（３１）が、タービンとして設けられていることを特徴とする請求項１に記載のヒート・エンジン。
【請求項３】
前記圧縮器（３２）が、高圧圧縮器として設けられていることを特徴とする請求項１又は２に記載のヒート・エンジン。
【請求項４】
前記第１大気熱交換器（１）が、閉鎖熱運搬サイクルにおいて、前記第１熱交換器（２１）及び前記第２熱交換器（２２）の何れか一方又は双方に接続されていることを特徴とする請求項１〜３の何れか一項に記載のヒート・エンジン。
【請求項５】
前記第２大気熱交換器（２）が、閉鎖熱運搬サイクルにおいて、前記第１熱交換器（２１）及び第２熱交換器（２２）の何れか一方又は双方に接続されていることを特徴とする請求項１〜４の何れか一項に記載のヒート・エンジン。
【請求項６】
前記作動機械（３１）がリバーシブルであることを特徴とする請求項１〜５の何れか一項に記載のヒート・エンジン。
【請求項７】
前記第１高圧タンク（１１）が、前記第１熱交換器（２１）に加えて第５熱交換器（２５）を有し、
前記第２高圧タンク（１２）が、前記第２熱交換器（２２）に加えて第６熱交換器（２６）を有していることを特徴とする請求項１〜６の何れか一項に記載のヒート・エンジン。
【請求項８】
前記第１大気熱交換器（１）が、前記第５及び第６熱交換器（２５、２６）に選択的に接続可能であり、
前記第２大気熱交換器（２）が、前記第１及び第２熱交換器（２１、２２）に選択的に接続可能であることを特徴とする請求項７に記載のヒート・エンジン。
【請求項９】
前記第５及び第６熱交換器（２５、２６）を備えた前記第１大気熱交換器（１）が一つの閉鎖熱運搬サイクルに設けられると共に、
前記第１及び第２熱交換器（２１、２２）を備えた前記第２大気熱交換器（２）が別の閉鎖熱運搬サイクルに設けられていることを特徴とする請求項８に記載のヒート・エンジン。
【請求項１０】
前記第１大気熱交換器（１）又は前記第２大気熱交換器（２）が、太陽熱収集器として設けられていることを特徴とする請求項１〜９の何れか一項に記載のヒート・エンジン。
【請求項１１】
前記第１大気熱交換器（１）又は前記第２大気熱交換器（２）が、地対空交換器として設けられていることを特徴とする請求項１〜１０の何れか一項に記載のヒート・エンジン。
【請求項１２】
前記第１大気熱交換器（１）又は前記第２大気熱交換器（２）が、室内又は設備の加熱及び冷却の一方又は双方を行うための熱交換器として設けられていることを特徴とする請求項１〜１１の何れか一項に記載のヒート・エンジン。
【請求項１３】
前記作動機械（３１）に選択的に接続可能な第３高圧タンク（１３）及び第４高圧タンク（１４）がさらに設けられていることを特徴とする請求項１〜１２の何れか一項に記載のヒート・エンジン。
【請求項１４】
前記第３及び第４高圧タンク（１３、１４）の一方又は双方が大気に対して絶縁されていることを特徴とする請求項１３に記載のヒート・エンジン。
【請求項１５】
前記第３高圧タンク（１３）が第３熱交換器（２３）を有し、
前記第４高圧タンク（１４）が第４熱交換器（２４）を有していることを特徴とする請求項１３又は１４に記載のヒート・エンジン。
【請求項１６】
前記第３熱交換器（２３）及び前記第４熱交換器（２４）が前記圧縮器（３２）に選択的に接続可能であることを特徴とする請求項１５に記載のヒート・エンジン。
【請求項１７】
前記第３熱交換器（２３）及び前記第４熱交換器（２４）が別の作動機械（３３）に選択的に接続可能であることを特徴とする請求項１５又は１６に記載のヒート・エンジン。
【請求項１８】
前記第３高圧タンク（１３）が前記第３熱交換器（２３）に加えて第７熱交換器（２７）を有し、
前記第４高圧タンク（１４）が前記第４熱交換器（２４）に加えて第８熱交換器（２８）を有していることを特徴とする請求項１３〜１７の何れか一項に記載のヒート・エンジン。
【請求項１９】
前記第７熱交換器（２７）及び前記第８熱交換器（２８）が、高圧熱運搬サイクルにおいて、前記圧縮器（３２）及び前記作動機械（３１、３３）に接続可能であることを特徴とする請求項１８に記載のヒート・エンジン。
【請求項２０】
高圧バッファ保存装置（４１）がさらに設けられていることを特徴とする請求項１〜１９の何れか一項に記載のヒート・エンジン。
【請求項２１】
第１温度レベルで、第１大気熱交換器（１）により熱が大気から吸収され、
高圧タンク（１１、１２）に存在する作動媒体に高圧で運搬されると共に、
第２大気熱交換器（２）が第２温度レベルで熱と大気を交換し、
高圧下の前記作動媒体が作動機械（３１）内で膨張して、
熱エネルギーを機械的な作動に変換する方法であって、
第１高圧タンク（１１）が前記大気熱交換器（１）及び前記第２大気熱交換器（２）に、交互に熱接続されるようになっており、
圧縮器（３２）が、作動媒体又は別の作動媒体を圧縮する作動機械（３１）によって駆動される、ことを特徴とする方法。
【請求項２２】
第２高圧タンク（１２）が前記第１大気熱交換器（１）及び前記第２大気熱交換器（２）に、交互に熱接続されることにより、前記第１高圧タンク（１１）が一方の大気熱交換器（１、２）と熱接続されると共に、前記第２高圧タンク（１２）が他方の大気熱交換器（２、１）と熱接続されるようになっていることを特徴とする請求項２１に記載の方法。
【請求項２３】
前記第１高圧タンク（１１）の作動媒体が第１熱交換器（２１）を介して加熱及び冷却されることにより、前記第１熱交換器（２１）が前記第１大気熱交換器（１）及び前記第２大気熱交換器（２）と交互に接続されるようになっていることを特徴とする請求項２１又は２２に記載の方法。
【請求項２４】
前記作動媒体が第１熱交換器（２１）を介して前記第１高圧タンク（１１）内で加熱及び冷却されることにより、前記第１熱交換器（２１）が前記第１大気熱交換器（１）及び前記第２大気熱交換器（２）に交互に接続されるようになっていることを特徴とする請求項２１〜２３の何れか一項に記載の方法。
【請求項２５】
第１作動サイクルにおいて、前記作動媒体が第１熱交換器（２１）を介して前記第１高圧タンク（１１）内で加熱されることにより、前記第１熱交換器（２１）が前記第１大気熱交換器（１）と接続される一方、同時に、前記第２高圧タンク（１２）が第６熱交換器（２６）を介して冷却されると共に、前記第６熱交換器（２６）が前記第２大気熱交換器（２）と接続されるようになっており、
第２作動サイクルにおいて、前記第２高圧タンク（１２）内の前記作動媒体が第２熱交換器（２２）を介して加熱されることにより、前記第２熱交換器（２２）が前記第１大気熱交換器（１）と接続される一方、同時に、前記第１高圧タンク（１１）が第５熱交換器（２５）を介して冷却されると共に、前記第５熱交換器（２５）が前記第２大気熱交換器（２）と接続されるようになっている、
ことを特徴とする請求項２１〜２４の何れか一項に記載の方法。
【請求項２６】
前記圧縮器（３２）が、第３及び第４熱交換器（２３、２４）を介して、第３又は第４高圧タンク（１３、１４）に存在する作動媒体に交互に熱を運搬する作動媒体を加熱することを特徴とする請求項２１〜２５の何れか一項に記載の方法。
【請求項２７】
前記第１及び第２高圧タンク（１１、１２）からの作動媒体が、別の作動機械で膨張する、
又は、選択的に
前記圧縮器（３２）が、第３及び第４熱交換器（２３、２４）を介して、第３又は第４高圧タンク（１３、１４）に存在する作動媒体に交互に熱を運搬する作動媒体を加熱する構成における前記第３及び第４高圧タンク（１３、１４）からの作動媒体が、別の作動機械で膨張する、
ことを特徴とする請求項２１〜２６の何れか一項に記載の方法。
【請求項２８】
高圧下の作動媒体が、別の高圧バッファ保存装置（４１）に保存されることを特徴とする請求項２１〜２７の何れか一項に記載の方法。
【請求項２９】
作動媒体として圧縮空気が用いられ、これが、ポンプ、発電機、自動車などの別の作動機械を駆動するために用いられることを特徴とする請求項２８に記載の方法。
【請求項３０】
前記熱交換器（２１、２２）の交互放熱が、搬送ポンプ（３）を逆駆動することによって行われることを特徴とする請求項２１〜２９の何れか一項に記載の方法。
【請求項３１】
前記圧縮の間に生成される熱が、建築物又は設備を加熱するために用いられることを特徴とする請求項２１〜３０の何れか一項に記載の方法。
【請求項３２】
前記膨張の間に生成される冷却材が、建築物又は設備を冷却するために用いられることを特徴とする請求項２１〜３１の何れか一項に記載の方法。